【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
１時点での取得指示に対応して観察情報取得部を介して取得された、細胞画像、細胞数・細胞密度・形状・生存率などの細胞の活性度を示す活性度データ、観察名などの細胞の観察結果を示す観察情報を検索するための検索用タグとして、細胞観察を行うユーザを識別するためのユーザ識別情報、観察対象となっている細胞を識別するための細胞識別情報、前記観察情報を取得した日時を識別するための日時情報、前記ユーザによる細胞のメンテナンスのための作業に関する情報、前記観察情報を取得するために用いた装置を識別するための装置識別情報、前記活性度データの変化情報及び前記細胞画像を示すための画像タグのうちの少なくとも一つ以上のタグを取得するタグ取得部と、
各時点での取得指示に対応して取得された夫々の前記観察情報に対して、前記タグ取得部により取得された前記タグを検索用タグとして付与し、該検索用タグを付与した検索用タグ付き観察情報を記録部に保存する保存部と、
前記記録部から、前記検索用タグの候補となるタグの一覧を抽出する抽出部と、
前記抽出部により抽出された前記タグの一覧を提示部に出力する出力部と、
を備え、
前記抽出部は、抽出対象とするタグを絞込むための絞込み条件を指定し、その指定した絞り込み条件で絞り込んだタグの一覧を抽出し、
前記タグ取得部は、前記提示部により提示される前記タグの一覧の中から、ユーザにより選択されたタグを取得し、
前記絞込み条件が、前記ユーザ識別情報であることを特徴とする細胞観察情報処理システム。
【請求項２】
請求項１に記載の細胞観察情報処理システムにおいて、
前記抽出部は、前記ユーザ識別情報を用いて、前記細胞識別情報のタグを絞り込むことを特徴とする細胞観察情報処理システム。
【請求項３】
請求項２に記載の細胞観察情報処理システムにおいて、
前記細胞識別情報が、細胞名、細胞種、培養を行う細胞であることを示す親株又はその親株から小分けした細胞であることを示す子株を識別するための細胞レベル情報、及び細胞の継代数のうちの少なくとも一つ以上を含むことを特徴とする細胞観察情報処理システム。
【請求項４】
請求項３に記載の細胞観察情報処理システムにおいて、
前記絞り込み条件は、前記ユーザ識別情報、かつ前記タグ取得部による前記細胞識別情報のタグの取得履歴に関する情報であることを特徴とする細胞観察情報処理システム。
【請求項５】
請求項４に記載の細胞観察情報処理システムにおいて、
前記タグの取得履歴に関する情報が、前記タグ取得部による前記細胞識別情報のタグの最新の取得日、現在までの通算取得回数又は現在から遡る所定期間内における取得回数であることを特徴とする細胞観察情報処理システム。
【請求項６】
請求項５に記載の細胞観察情報処理システムにおいて、
前記抽出部は、前記タグの取得履歴に関する情報を用いて、抽出対象となりうる前記細胞識別情報のタグのうち、前記タグ取得部による最新の取得日が所定の日よりも後の日、あるいは、現在までの通算取得回数又は現在から遡る所定期間内における取得回数が一定値以上のタグに絞り込むことを特徴とする細胞観察情報処理システム。
【請求項７】
請求項１に記載の細胞観察情報処理システムにおいて、
前記絞り込み条件が、前記タグ取得部によるタグの取得履歴に関する情報であり、
前記タグの取得履歴に関する情報が、前記タグ取得部によるタグの現在から遡る所定期間内における取得回数であることを特徴とする細胞観察情報処理システム。
【請求項８】
請求項７に記載の細胞観察情報処理システムにおいて、
前記抽出部は、前記タグの取得履歴に関する情報を用いて、抽出対象となりうるタグのうち、前記タグ取得部による最新の取得日が所定の日よりも後の日、あるいは、現在までの通算取得回数又は現在から遡る所定期間内における取得回数が一定値以上のタグに絞り込むことを特徴とする細胞観察情報処理システム。
【請求項９】
請求項７に記載の細胞観察情報処理システムにおいて、
前記保存部は、さらに前記タグの取得履歴に関する情報を前記記録部に保存することを特徴とする観察情報処理システム。
【請求項１０】
請求項９に記載の細胞観察情報処理システムにおいて、
前記保存部は、前記タグの取得履歴に関する情報を、前記細胞識別情報及び前記ユーザ識別情報のうちの少なくとも一つ以上の情報に関連付けて前記記録部に保存することを特徴とする観察情報処理システム。
【請求項１１】
請求項１０に記載の細胞観察情報処理システムにおいて、
前記保存部は、前記細胞識別情報及び前記ユーザ識別情報のうちの少なくとも一つ以上の情報に関連付けた前記タグの取得履歴に関する情報を、前記記録部における前記検索用タグ付き観察情報保存用のファイルとは別のファイルに保存することを特徴とする細胞観察情報処理システム。
【請求項１２】
請求項１０に記載の細胞観察情報処理システムにおいて、
前記保存部は、前記細胞識別情報及び前記ユーザ識別情報のうちの少なくとも一つ以上の情報に関連付けた前記タグの取得履歴に関する情報を、前記絞込み条件指定用のタグとして前記検索用タグ付き観察情報に付与して、その絞込み条件指定用のタグを付与した前記検索用タグ付き観察情報を、前記記録部における前記検索用タグ付き観察情報保存用のファイルに保存することを特徴とする細胞観察情報処理システム。
【請求項１３】
請求項１０に記載の細胞観察情報処理システムにおいて、
前記抽出部は、前記保存部により前記細胞識別情報及び前記ユーザ識別情報のうちの少なくとも一つ以上の情報に関連付けられた前記タグの取得履歴に関する情報を前記絞込み条件として指定し、指定した前記絞込み条件を用いて、前記細胞識別情報及び前記ユーザ識別情報のうちの少なくとも一つ以上の情報に関するタグを絞り込むことを特徴とする細胞観察情報処理システム。
【請求項１４】
請求項１に記載の細胞観察情報処理システムにおいて、
前記抽出部は、複数の前記絞込み条件を指定可能に構成されるとともに、前記複数の絞込み条件のうちの指定する絞込み条件が、予めユーザにより定められていることを特徴とする細胞観察情報処理システム。
【請求項１５】
請求項１４に記載の細胞観察情報処理システムにおいて、前記複数の前記絞込み条件が、前記ユーザ識別情報、前記ユーザによる細胞のメンテナンスのための作業に関する情報及び前記抽出部による抽出対象となりうるタグについての前記タグ取得部によるタグの取得履歴に関する情報であることを特徴とする細胞観察情報処理システム。
【請求項１６】
請求項１に記載の細胞観察情報処理システムにおいて、
前記絞込み条件が、予めユーザにより定められた所定のタグであることを特徴とする細胞観察情報処理システム。
【請求項１７】
請求項１４に記載の細胞観察情報処理システムにおいて、
前記予めユーザにより定められた所定のタグに対応するユーザ指定情報を前記記録部に保存するユーザ指定情報保存部をさらに備えることを特徴とする観察情報処理システム。
【請求項１８】
請求項１７に記載の細胞観察情報処理システムにおいて、
前記ユーザ指定情報保存部は、前記ユーザ指定情報を、前記細胞識別情報及び前記ユーザ識別情報のうちの少なくとも一つ以上の情報に関連付けて前記記録部に保存することを特徴とする観察情報処理システム。
【請求項１９】
請求項１８に記載の細胞観察情報処理システムにおいて、
前記ユーザ指定情報保存部は、前記細胞識別情報及び前記ユーザ識別情報のうちの少なくとも一つ以上の情報に関連付けた前記ユーザ指定情報を、前記記録部における前記検索用タグ付き観察情報保存用のファイルとは別のファイルに保存することを特徴とする細胞観察情報処理システム。
【請求項２０】
請求項１８に記載の細胞観察情報処理システムにおいて、
前記ユーザ指定情報保存部は、前記細胞識別情報及び前記ユーザ識別情報のうちの少なくとも一つ以上の情報に関連付けた前記ユーザ指定情報を、前記絞込み条件指定用のタグとして前記検索用タグ付き観察情報に付与して、その絞込み条件指定用タグを付与した前記検索用タグ付き観察情報を、前記記録部における前記検索用タグ付き観察情報保存用のファイルに保存することを特徴とする細胞観察情報処理システム。
【請求項２１】
請求項１８に記載の細胞観察情報処理システムにおいて、
前記抽出部は、前記ユーザ指定情報保存部により前記細胞識別情報及び前記ユーザ識別情報のうちの少なくとも一つ以上の情報に関連付けられた前記ユーザ指定情報を前記絞込み条件として指定し、指定した絞込み条件を用いて、前記細胞識別情報及び前記ユーザ識別情報のうちの少なくとも一つ以上の情報に関するタグを絞り込むことを特徴とする細胞観察情報処理システム。
【請求項２２】
請求項１に記載の細胞観察情報処理システムにおいて、
前記絞込み条件が、前記細胞識別情報における細胞種に関する情報であり、
前記抽出部は、前記細胞種に関する情報を用いて、前記細胞識別情報における細胞名のタグを絞り込むことを特徴とする細胞観察情報処理システム。
【請求項２３】
請求項１に記載の細胞観察情報処理システムにおいて、
前記絞込み条件が、前記ユーザによる細胞のメンテナンスのための作業における継代・非継代に関する情報であることを特徴とする細胞観察情報処理システム。
【請求項２４】
請求項２３に記載の細胞観察情報処理システムにおいて、
前記抽出部は、前記ユーザによる細胞のメンテナンスのための作業における継代・非継代に関する情報を用いて、前記細胞識別情報における培養を行う細胞であることを示す親株又はその親株から小分けした細胞であることを示す子株を識別するための細胞レベル情報のタグを絞り込むことを特徴とする細胞観察情報処理システム。
【請求項２５】
１時点での取得指示に対応して取得された、細胞画像、細胞数・細胞密度・形状・生存率などの細胞の活性度を示す活性度データ、観察名などの細胞の観察結果を示す観察情報を検索するための検索用タグとして、細胞観察を行うユーザを識別するためのユーザ識別情報、観察対象となっている細胞を識別するための細胞識別情報、前記観察情報を取得した日時を識別するための日時情報、前記ユーザによる細胞のメンテナンスのための作業に関する情報、前記観察情報を取得するために用いた装置を識別するための装置識別情報、前記活性度データの変化情報及び前記細胞画像を示すための画像タグのうちの少なくとも一つ以上のタグを取得するタグ取得段階と、
各時点での取得指示に対応して取得された夫々の前記観察情報に対して、前記タグ取得段階において取得された前記タグを検索用タグとして付与し、該検索用タグを付与した検索用タグ付き観察情報を記録部に保存する保存段階と、
前記記録部から、前記検索用タグの候補となるタグの一覧を抽出する抽出段階と、
前記抽出部により抽出された前記タグの一覧を提示部に出力する出力段階と、
を備え、
前記抽出段階においては、抽出対象とするタグを絞込むための絞込み条件を指定し、その指定した絞り込み条件で絞り込んだタグの一覧を抽出し、
前記タグ取得段階においては、前記提示部により提示される前記タグの一覧の中から、ユーザにより選択されたタグを取得し、
前記絞込み条件が、前記ユーザ識別情報であることを特徴とする細胞観察情報処理方法。
【請求項２６】
コンピュータを、
１時点での取得指示に対応して観察情報取得部を介して取得された、細胞画像、細胞数・細胞密度・形状・生存率などの細胞の活性度を示す活性度データ、観察名などの細胞の観察結果を示す観察情報を検索するための検索用タグとして、細胞観察を行うユーザを識別するためのユーザ識別情報、観察対象となっている細胞を識別するための細胞識別情報、前記観察情報を取得した日時を識別するための日時情報、前記ユーザによる細胞のメンテナンスのための作業に関する情報、前記観察情報を取得するために用いた装置を識別するための装置識別情報、前記活性度データの変化情報及び前記細胞画像を示すための画像タグのうちの少なくとも一つ以上のタグを取得するタグ取得手段、
各時点での取得指示に対応して取得された夫々の前記観察情報に対して、前記タグ取得部により取得された前記タグを検索用タグとして付与し、該検索用タグを付与した検索用タグ付き観察情報を記録部に保存する保存手段、
前記記録部から、前記検索用タグの候補となるタグの一覧を抽出する抽出手段、
前記抽出手段により抽出された前記タグの一覧を提示部に出力する出力手段として機能させるための細胞観察情報処理プログラムであって、
前記抽出手段は、抽出対象とするタグを絞込むための絞込み条件を指定し、その指定した絞り込み条件で絞り込んだタグの一覧を抽出し、
前記タグ取得手段は、前記提示部により提示される前記タグの一覧の中から、ユーザにより選択されたタグを取得し、
前記絞込み条件が、前記ユーザ識別情報であることを特徴とする細胞観察情報処理プログラム。
【請求項２７】
請求項１に記載の細胞観察情報処理システムに備わる記録部であって、
１以上の前記検索用タグ付き観察情報のレコードを有し、
夫々の前記レコードは、各時点での細胞画像の撮像に対応して作成され、
１時点での細胞画像の撮像に対応する１つの観察情報と、前記観察情報を検索するための前記検索用タグとが互いに関連付けられていることを特徴とする記録部。
【請求項２８】
請求項１に記載の細胞観察情報処理システムに備わる複数の装置であって、
前記複数の装置が、前記タグ取得部、前記保存部、前記抽出部及び前記出力部を、分散して設けていることを特徴とする細胞観察情報処理システムに備わる装置。
【請求項２９】
請求項１に記載の細胞観察情報処理システムにおいて、
前記抽出部により抽出された前記タグの一覧をユーザに提示する提示部をさらに備えることを特徴とする細胞観察情報処理システム。
【手続補正２】
【補正対象書類名】明細書
【補正対象項目名】００１１
【補正方法】変更
【補正の内容】
【００１１】
上記目的を達成するため、本発明の一態様による細胞観察情報処理システムは、１時点での取得指示に対応して観察情報取得部を介して取得された、細胞画像、細胞数・細胞密度・形状・生存率などの細胞の活性度を示す活性度データ、観察名などの細胞の観察結果を示す観察情報を検索するための検索用タグとして、細胞観察を行うユーザを識別するためのユーザ識別情報、観察対象となっている細胞を識別するための細胞識別情報、前記観察情報を取得した日時を識別するための日時情報、前記ユーザによる細胞のメンテナンスのための作業に関する情報、前記観察情報を取得するために用いた装置を識別するための装置識別情報、前記活性度データの変化情報及び前記細胞画像を示すための画像タグのうちの少なくとも一つ以上のタグを取得するタグ取得部と、各時点での取得指示に対応して取得された夫々の前記観察情報に対して、前記タグ取得部により取得された前記タグを検索用タグとして付与し、該検索用タグを付与した検索用タグ付き観察情報を記録部に保存する保存部と、前記記録部から、前記検索用タグの候補となるタグの一覧を抽出する抽出部と、前記抽出部により抽出された前記タグの一覧を提示部に出力する出力部と、を備え、前記抽出部は、抽出対象とするタグを絞込むための絞込み条件を指定し、その指定した絞り込み条件で絞り込んだタグの一覧を抽出し、前記タグ取得部は、前記提示部により提示される前記タグの一覧の中から、ユーザにより選択されたタグを取得し、前記絞込み条件が、前記ユーザ識別情報である。
【手続補正３】
【補正対象書類名】明細書
【補正対象項目名】００１２
【補正方法】変更
【補正の内容】
【００１２】
また、本発明の他の態様による細胞観察情報処理方法は、１時点での取得指示に対応して取得された、細胞画像、細胞数・細胞密度・形状・生存率などの細胞の活性度を示す活性度データ、観察名などの細胞の観察結果を示す観察情報を検索するための検索用タグとして、細胞観察を行うユーザを識別するためのユーザ識別情報、観察対象となっている細胞を識別するための細胞識別情報、前記観察情報を取得した日時を識別するための日時情報、前記ユーザによる細胞のメンテナンスのための作業に関する情報、前記観察情報を取得するために用いた装置を識別するための装置識別情報、前記活性度データの変化情報及び前記細胞画像を示すための画像タグのうちの少なくとも一つ以上のタグを取得するタグ取得段階と、各時点での取得指示に対応して取得された夫々の前記観察情報に対して、前記タグ取得段階において取得された前記タグを検索用タグとして付与し、該検索用タグを付与した検索用タグ付き観察情報を記録部に保存する保存段階と、前記記録部から、前記検索用タグの候補となるタグの一覧を抽出する抽出段階と、前記抽出部により抽出された前記タグの一覧を提示部に出力する出力段階と、を備え、前記抽出段階においては、抽出対象とするタグを絞込むための絞込み条件を指定し、その指定した絞り込み条件で絞り込んだタグの一覧を抽出し、前記タグ取得段階においては、前記提示部により提示される前記タグの一覧の中から、ユーザにより選択されたタグを取得し、前記絞込み条件が、前記ユーザ識別情報である。
【手続補正４】
【補正対象書類名】明細書
【補正対象項目名】００１３
【補正方法】変更
【補正の内容】
【００１３】
また、本発明のさらに他の態様による細胞観察情報処理プログラムは、コンピュータを、１時点での取得指示に対応して観察情報取得部を介して取得された、細胞画像、細胞数・細胞密度・形状・生存率などの細胞の活性度を示す活性度データ、観察名などの細胞の観察結果を示す観察情報を検索するための検索用タグとして、細胞観察を行うユーザを識別するためのユーザ識別情報、観察対象となっている細胞を識別するための細胞識別情報、前記観察情報を取得した日時を識別するための日時情報、前記ユーザによる細胞のメンテナンスのための作業に関する情報、前記観察情報を取得するために用いた装置を識別するための装置識別情報、前記活性度データの変化情報及び前記細胞画像を示すための画像タグのうちの少なくとも一つ以上のタグを取得するタグ取得手段、各時点での取得指示に対応して取得された夫々の前記観察情報に対して、前記タグ取得部により取得された前記タグを検索用タグとして付与し、該検索用タグを付与した検索用タグ付き観察情報を記録部に保存する保存手段、前記記録部から、前記検索用タグの候補となるタグの一覧を抽出する抽出手段、前記抽出手段により抽出された前記タグの一覧を提示部に出力する出力手段として機能させるための細胞観察情報処理プログラムであって、前記抽出手段は、抽出対象とするタグを絞込むための絞込み条件を指定し、その指定した絞り込み条件で絞り込んだタグの一覧を抽出し、前記タグ取得手段は、前記提示部により提示される前記タグの一覧の中から、ユーザにより選択されたタグを取得し、前記絞込み条件が、前記ユーザ識別情報である。